(57)【要約】【課題】エッジセンサ、駆動モータ、搬送ローラを、読み取り用と記録用とに共通化した場合、読み取り動作中にメモリフルエラーになり、読み取り途中の原稿が紙搬送機構内に残っても、その後に受信画像を記録することができるファクシミリ装置を提供することを目的とするものである。【解決手段】原稿ジャム検出手段が原稿ジャムエラーを検出すると、原稿を排紙せずに、読み取り動作を中止し、原稿読取手段を退避位置まで移動させないように制御し、逆に、原稿ジャムエラーが検出されないと、原稿の読み取り動作を中止するとともに、原稿を排紙するように制御し、さらに上記原稿読取手段を退避位置まで移動させるファクシミリ装置である。【選択図】  図１
2004221858.tif 000002
【特許請求の範囲】
【請求項１】
原稿を読み取る原稿読取手段と；
メモリと；
上記原稿読取手段が読み取った画像を、上記メモリに蓄積する手段と；
上記メモリに蓄積されている画像データを読み出し、記録する手段と；
原稿と記録紙とに共通の搬送手段と；
読み取り動作または記録動作を行う際に、原稿または記録紙が、上記原稿／記録紙搬送機構内に存在していることを検出する原稿／記録紙検出手段と；
原稿読み取り時に、エラーが発生したことを検出するエラー検出手段と；
上記エラー検出手段がエラーの発生を検出すると、この検出されたエラーが原稿ジャムによるものであることを検出する原稿ジャム検出手段と；
読み取り動作を行う場合に、上記原稿読取手段を読み取り動作可能な位置まで移動させ、また読み取り動作を終了する場合に、上記原稿読取手段を退避位置まで移動させる移動手段と；
上記原稿ジャム検出手段が原稿ジャムエラーを検出すると、原稿を排紙せずに、読み取り動作を中止し、上記原稿読取手段を退避位置まで移動させないように、上記移動手段を制御し、逆に、原稿ジャムエラーが検出されないと、原稿の読み取り動作を中止するとともに、原稿を排紙するように制御し、さらに上記原稿読取手段を退避位置まで移動させるように上記移動手段を制御する制御手段と；
を有することを特徴とするファクシミリ装置。
【発明の詳細な説明】
【０００１】
【発明の属する技術分野】
本発明は、読み取り動作を行う際に、原稿が搬送される原稿搬送経路と、記録動作を行う際に、記録紙が搬送される記録紙搬送経路とを有するファクシミリ装置に関する。
【０００２】
【従来の技術】
従来のファクシミリ装置では、読み取り動作を行う際に原稿が搬送される原稿搬送経路と、記録動作を行う際に記録紙が搬送される記録搬送経路とが完全に分離されている。
【０００３】
【発明が解決しようとする課題】
しかし、上記従来例では、エッジセンサ、駆動モータ、搬送ローラを、読み取り用と、記録用とにそれぞれ設ける必要があり、装置の小型化、コストダウンの面で不利である。
【０００４】
そこで、エッジセンサ、駆動モータ、搬送ローラを、読み取り用と、記録用とで共用するように設計することが考えられている。
【０００５】
ところが、原稿を読み取り中に、メモリの残量がゼロになる等、読み取り動作を中止せざるを得ない場合、読み取り途中の原稿が紙搬送機構内に残ったままであり、原稿を取り除かない限り、受信画像の記録ができないという問題がある。
【０００６】
本発明は、エッジセンサ、駆動モータ、搬送ローラを、読み取り用と記録用とに共通化した場合、読み取り動作中にメモリフルエラーになり、読み取り途中の原稿が紙搬送機構内に残っても、その後に受信画像を記録することができるファクシミリ装置を提供することを目的とするものである。
【０００７】
【課題を解決するための手段】
本発明は、原稿ジャム検出手段が原稿ジャムエラーを検出すると、原稿を排紙せずに、読み取り動作を中止し、原稿読取手段を退避位置まで移動させないように制御し、逆に、原稿ジャムエラーが検出されないと、原稿の読み取り動作を中止するとともに、原稿を排紙するように制御し、さらに上記原稿読取手段を退避位置まで移動させるファクシミリ装置である。
【０００８】
【発明の実施の形態および実施例】
図１は、本発明の一実施例であるファクシミリ装置ＦＳ１を示すブロック図である。
【０００９】
ファクシミリ装置ＦＳ１は、ＣＰＵ１０１と、ＲＯＭ１０２と、ＮＶＲＡＭ１０３と、ＲＡＭ１０４と、表示部１０５と、読取部１０６と、記録部１０７と、エッジセンサ１０８と、操作部１０９と、ＭＯＤＥＭ１１０と、ＮＣＵ１１１とを有する。
【００１０】
ＣＰＵ１０１は、ファクシミリ装置ＦＳ１の全体の制御を行い、ＲＯＭ１０２は、ファクシミリ装置ＦＳ１の制御プログラム等を格納するメモリであり、ＮＶＲＡＭ１０３は、各種登録データと動作モード変数とを格納する不揮発性メモリであり、ＲＡＭ１０４は、画像データを格納し、動作に必要なワークメモリとして使用するメモリである。
【００１１】
表示部１０５は、ファクシミリ装置ＦＳ１の状態等を表示し、読取部１０６は、送信やコピーを行う際、原稿を読み取るものである。記録部１０７は、受信した画像、コピーで読み取った画像を記録するものであり、エッジセンサ１０８は、原稿／記録紙搬送機構内に紙が存在していることを検出するセンサである。
【００１２】
操作部１０９は、複数のキーによって構成され、各種操作の指示を行う。ＭＯＤＥＭ１１０は、読取部１０６で読み取った画像と、受信した画像とを符号化／復号化し、ＮＣＵ１１１は、通信やパルス信号を送出するために網制御を行うものである。
【００１３】
図２、図３、図４、図５は、ファクシミリ装置ＦＳ１の機構図である。
【００１４】
読取部１０６は、ＣＳ（コンタクトセンサ）２２と、ＣＳホルダ２６と、白基準２５とによって構成され、ＣＳ２２は、通常時には、図２に示す位置に存在し、読み取り時のみ、図３に示す位置に移動する。
【００１５】
原稿分離ローラ１５は、その一端が、読み取り駆動伝達手段、駆動切替手段を介して、駆動モータ２０に連結されている。インクカートリッジ１は、キャリッジ４に装着され、インクジェット方式による記録を行う。
【００１６】
エッジセンサ１０８に接続されているアクチュエイター２１、駆動モータ２０、搬送ローラ１０は、読み取り動作時と、記録動作時とで共用している。つまり、アクチュエイター２１、駆動モータ２０、搬送ローラ１０は、原稿と記録紙とに共通の搬送手段の例である。
【００１７】
読取部１０６は、原稿を読み取る原稿読取手段の例であり、ＲＡＭ１０４は、メモリの例であり、ＣＰＵ１０１は、読み取った画像を、上記メモリに蓄積する手段の例である。ＣＰＵ１０１と記録部１０７とは、上記メモリに蓄積されている画像データを読み出し、記録する手段の例である。
【００１８】
エッジセンサ１０８は、読み取り動作または記録動作を行う際に、原稿または記録紙が、上記原稿／記録紙搬送機構内に存在していることを検出する原稿／記録紙検出手段の例であり、原稿読み取り時に、エラーが発生したことを検出するエラー検出手段の例であり、上記エラー検出手段がエラーの発生を検出すると、この検出されたエラーが原稿ジャムによるものであることを検出する原稿ジャム検出手段の例である。
【００１９】
また、ＣＰＵ１０１は、原稿ジャム検出手段が原稿ジャムエラーを検出すると、原稿を排紙せずに、読み取り動作を中止し、上記原稿読取手段を退避位置まで移動させないように、上記移動手段を制御し、逆に、原稿ジャムエラーが検出されないと、原稿の読み取り動作を中止するとともに、原稿を排紙するように制御し、さらに上記原稿読取手段を退避位置まで移動させるように上記移動手段を制御する制御手段の例である。
【００２０】
なお、上記実施例において、原稿ジャム検出手段は、原稿を読み取った長さに応じて、原稿ジャムであると判断する手段である。
【００２１】
次に、上記実施例において、読み取り動作を制御する動作について説明する。
【００２２】
図６は、上記実施例において、読み取り動作を制御する動作を示すフローチャートである。
【００２３】
ファクシミリ装置ＦＳ１において、読み取り動作を行う場合、まず、キャリッジモータ３３を駆動させ、キャリッジ４を左に移動させることによって、駆動切替手段が駆動モータ２０の駆動を読み取りモードに切り替え、キャリッジ４をホームポジション（図５に示す位置）に戻す。読み取り駆動伝達手段を介して、駆動モータ２０が原稿分離ローラ１５を回転させ、原稿給紙動作を開始するとともに、ＣＳ駆動伝達手段を介して、ＣＳ駆動手段を作動させ、ＣＳホルダ２６の移動を開始する。
【００２４】
読み取り駆動伝達手段とＣＳ駆動伝達手段とのギア比と、ローラ径とを調節することによって、原稿１２が給紙ローラ１０に到達する前に、ＣＳホルダ２６が、図３に示す位置に達するように、設計されている。ＣＳホルダ２６が、図３に示す位置に達すると、ＣＳ駆動手段とＣＳ駆動伝達手段とを連結しているクラッチが切れ、ＣＳホルダ２６が停止する（Ｓ２０１）。駆動モータ２０とＣＳ駆動手段とＣＳ駆動伝達手段が、読み取り動作を行う場合に、上記原稿読取手段を読み取り動作可能な位置まで移動させ、また読み取り動作を終了する場合に、上記原稿読取手段を退避位置まで移動させる移動手段の例である。
【００２５】
引き続いて、駆動モータ２０を駆動し、原稿が、搬送ローラ１０を通過し、ＣＳ２２の位置に到達したときに、読み取りを開始する（Ｓ２０２）。
【００２６】
読み取った画像データについて、画像処理を行った後に、ＲＡＭ１０４に格納される。読み取り中は、常に、原稿ジャムやメモリフル等のエラーが起きていないかを監視し（Ｓ２０３）、原稿の後端がＣＳ２２の位置に到達していないかを、エッジセンサ１０８によって監視する（Ｓ２０４）。
【００２７】
ここで、原稿の後端がＣＳ２２の位置に到達していると、正常終了動作であると判断し、読み取りを終了し、原稿が排紙されるまで、駆動モータ２０を駆動する（Ｓ２０５）。そして、駆動モータ２０を逆方向に駆動させることによって、駆動切替手段による読み取りモードが解除され、ＣＳホルダが、図２に示す位置に戻る（Ｓ２０６）。
【００２８】
そして、ステップＳ２０７に進み、読み取った画像データを記録する。駆動モータを駆動させると、記録紙分離ローラ１９が回転し、記録紙２が搬送される。記録紙２が、エッジセンサ１０８を通過し、記録開始位置に達すると、ＲＡＭ１０４に格納されている画像データを読み出し、それに従って、キャリッジモータ３３を駆動し、キャリッジ４を移動させながら、インクを吐出させる。
【００２９】
ステップＳ２０３では、メモリフルエラーが起きた場合、駆動モータ２０の駆動を停止し、読み取り動作を中止する（Ｓ２０８）。そして、ステップＳ２０９では、原稿ジャムエラーではないので、Ｎｏに進み、正常終了時と同じく、原稿を排紙し、ＣＳを上げる動作を行う（Ｓ２１０、Ｓ２１１）。
【００３０】
また、ステップＳ２０３において、原稿ジャムエラーが起きた場合、駆動モータ２０の駆動を停止させ、読み取り動作を中止する（Ｓ２０８）。そして、ステップＳ２０９では、原稿ジャムエラーが生じているのでＹｅｓに進み、原稿を排紙せずに、読み取り動作を終了する。
【００３１】
上記実施例によれば、エッジセンサ、駆動モータ、搬送ローラを、読み取り用と記録用とに共通化した場合、読み取り動作中にメモリフルエラーになり、読み取り途中の原稿が紙搬送機構内に残っても、その後に受信画像を記録することができる。
【００３２】
なお、ステップＳ２０３における原稿ジャムエラーを、原稿ジャムセンサが検出するようにしてもよく、読み取ったライン数をカウントし、このカウントしたライン数が、ある閾値を超えると、原稿ジャムエラーが発生したと判断するようにしてもよい。
【００３３】
また、読み取った画像データを、ＲＡＭ１０４ではなく、ＮＶＲＡＭ１０３に格納するようにしてもよい。
【００３４】
なお、上記実施例を、次の実施形態として把握することができる。
【００３５】
［実施形態１］  原稿を読み取る原稿読取手段と；
メモリと；
上記原稿読取手段が読み取った画像を、上記メモリに蓄積する手段と；
上記メモリに蓄積されている画像データを読み出し、記録する手段と；
原稿と記録紙とに共通の搬送手段と；
読み取り動作または記録動作を行う際に、原稿または記録紙が、上記原稿／記録紙搬送機構内に存在していることを検出する原稿／記録紙検出手段と；
原稿読み取り時に、エラーが発生したことを検出するエラー検出手段と；
上記エラー検出手段がエラーの発生を検出すると、この検出されたエラーが原稿ジャムによるものであることを検出する原稿ジャム検出手段と；
読み取り動作を行う場合に、上記原稿読取手段を読み取り動作可能な位置まで移動させ、また読み取り動作を終了する場合に、上記原稿読取手段を退避位置まで移動させる移動手段と；
上記原稿ジャム検出手段が原稿ジャムエラーを検出すると、原稿を排紙せずに、読み取り動作を中止し、上記原稿読取手段を退避位置まで移動させないように、上記移動手段を制御し、逆に、原稿ジャムエラーが検出されないと、原稿の読み取り動作を中止するとともに、原稿を排紙するように制御し、さらに上記原稿読取手段を退避位置まで移動させるように上記移動手段を制御する制御手段と；
を有することを特徴とするファクシミリ装置。
【００３６】
［実施形態２］  実施形態１において、
上記原稿ジャム検出手段は、原稿を読み取った長さに応じて、原稿ジャムであると判断する手段であることを特徴とするファクシミリ装置。
【００３７】
【発明の効果】
本発明によれば、エッジセンサ、駆動モータ、搬送ローラを、読み取り用と記録用とに共通化した場合、読み取り動作中にメモリフルエラーになり、読み取り途中の原稿が紙搬送機構内に残っても、その後に受信画像を記録することができるという効果を奏する。
【図面の簡単な説明】
【図１】本発明の一実施例であるファクシミリ装置ＦＳ１を示すブロック図である。
【図２】ファクシミリ装置ＦＳ１の機構図である。
【図３】ファクシミリ装置ＦＳ１の機構図である。
【図４】ファクシミリ装置ＦＳ１の機構図である。
【図５】ファクシミリ装置ＦＳ１の機構図である。
【図６】上記実施例における読み取り動作の制御動作を示すフローチャートである。
【符号の説明】
ＦＳ１…ファクシミリ装置、
１０１…ＣＰＵ、
１０２…ＲＯＭ、
１０３…ＮＶＲＡＭ、
１０４…ＲＡＭ、
１０５…表示部、
１０６…読取部、
１０７…記録部、
１０８…エッジセンサ、
１０９…操作部、
１１０…ＭＯＤＥＭ、
１１１…ＮＣＵ。
【図１】
2004221858.tif 000003
【図２】
2004221858.tif 000004
【図３】
2004221858.tif 000005
【図４】
2004221858.tif 000006
【図５】
2004221858.tif 000007
【図６】
2004221858.tif 000008